(57)【特許請求の範囲】
【請求項１】
搬送前のシートを支持可能な支持部と、
前記支持部によって支持されたシートを、前記支持部から吸入する吸入ローラと、
動力源から伝達される動力によって回転駆動される回転軸と、
前記吸入ローラを前記回転軸に対して並列に保持し、前記回転軸を揺動中心として、前記吸入ローラを前記支持部に接近させる第一方向、及び前記吸入ローラを前記支持部から離間させる第二方向へ揺動可能なホルダと、
前記ホルダに組み込まれ、前記回転軸から前記吸入ローラへ動力を伝達して当該吸入ローラを回転させる第一動力伝達部と
を備え、
前記ホルダは、前記回転軸が回転駆動されていない第一の状態においては、第一の押圧力で前記吸入ローラを前記支持部側へと押圧し、前記回転軸から前記第一動力伝達部を介して前記吸入ローラへ動力が伝達される第二の状態においては、当該動力の伝達に伴う力が前記ホルダに作用することにより、前記第一の押圧力よりも大きい第二の押圧力で前記吸入ローラを前記支持部側へと押圧するように構成され、
前記ホルダの一部及び当該ホルダに取り付けられた部材のうちの少なくとも一方を第一部分、前記吸入ローラ及び当該吸入ローラと一体に回転する部材のうちの少なくとも一方を第二部分として、前記第一部分及び前記第二部分のうちのいずれか一方に取り付けられて他方に接触することにより、当該接触箇所において前記第二部分に対して前記吸入ローラの回転を抑制する抵抗力を付与する抵抗付与部
を更に有し、
前記吸入ローラによって吸入されたシートを一枚ずつに分離して搬送方向下流側へと送出する分離ローラと、
前記回転軸から前記分離ローラへ動力を伝達することにより、前記分離ローラを回転させる第二動力伝達部と
を有し、
前記第一動力伝達部は、前記第一動力伝達部側からの動力が前記吸入ローラへ伝達される接続状態、及び前記第一動力伝達部側からの動力が前記吸入ローラへ伝達されない切断状態が、いずれかに一方に切り替わるクラッチ部を有し、
前記クラッチ部は、前記接続状態にある場合には、前記クラッチ部が回転する際に前記クラッチ部側にある接触部が前記吸入ローラ側にある被接触部に接触して、前記接触部から前記被接触部に作用する力で前記吸入ローラを回転させる状態となり、前記切断状態にある場合には、前記吸入ローラと前記クラッチ部との相対位置を、前記接触部と前記被接触部が接触しない範囲内に維持しつつ、前記吸入ローラ及び前記クラッチ部それぞれが回転する状態となり、
前記第一動力伝達部によって前記吸入ローラの回転駆動を開始してから、当該吸入ローラによって搬送されるシートが前記分離ローラに到達するまでは、前記クラッチ部が前記接続状態となることによって前記第二の状態となって、前記吸入ローラが第一の搬送速度でシートを搬送方向下流側へと送出するように構成され、
前記吸入ローラによって搬送されるシートが前記分離ローラに到達すると、前記分離ローラが前記第一の搬送速度よりも高速な第二の搬送速度でシートを搬送方向下流側へと送出し、その際、前記吸入ローラが前記第二の搬送速度で搬送されるシートに追従して回転する第三の状態となることによって、前記クラッチ部が前記切断状態となるように構成され、
前記ホルダは、前記第三の状態になると、前記第二の押圧力よりも小さい第三の押圧力で前記吸入ローラを前記支持部側へと押圧する状態になる
シート搬送装置。
【請求項２】
搬送前のシートを支持可能な支持部と、
前記支持部によって支持されたシートを、前記支持部から吸入する吸入ローラと、
動力源から伝達される動力によって回転駆動される回転軸と、
前記吸入ローラを前記回転軸に対して並列に保持し、前記回転軸を揺動中心として、前記吸入ローラを前記支持部に接近させる第一方向、及び前記吸入ローラを前記支持部から離間させる第二方向へ揺動可能なホルダと、
前記ホルダに組み込まれ、前記回転軸から前記吸入ローラへ動力を伝達して当該吸入ローラを回転させる第一動力伝達部と
を備え、
前記ホルダは、前記回転軸が回転駆動されていない第一の状態においては、第一の押圧力で前記吸入ローラを前記支持部側へと押圧し、前記回転軸から前記第一動力伝達部を介して前記吸入ローラへ動力が伝達される第二の状態においては、当該動力の伝達に伴う力が前記ホルダに作用することにより、前記第一の押圧力よりも大きい第二の押圧力で前記吸入ローラを前記支持部側へと押圧するように構成され、
前記ホルダの一部及び当該ホルダに取り付けられた部材のうちの少なくとも一方を第一部分、前記吸入ローラ及び当該吸入ローラと一体に回転する部材のうちの少なくとも一方を第二部分として、前記第一部分及び前記第二部分のうちのいずれか一方に取り付けられて他方に接触することにより、当該接触箇所において前記第二部分に対して前記吸入ローラの回転を抑制する抵抗力を付与する抵抗付与部
を更に有し、
前記吸入ローラによって吸入されたシートを一枚ずつに分離して搬送方向下流側へと送出する分離ローラと、
前記回転軸から前記分離ローラへ動力を伝達することにより、前記分離ローラを回転させる第二動力伝達部と
を有し、
前記第一動力伝達部は、前記第一動力伝達部側からの動力が前記吸入ローラへ伝達される接続状態、及び前記第一動力伝達部側からの動力が前記吸入ローラへ伝達されない切断状態が、いずれかに一方に切り替わるクラッチ部を有し、
前記クラッチ部は、回転可能かつ回転中心となる軸線に沿って変位可能な第一クラッチ部材と、前記第一クラッチ部材と同一軸線を中心に回転可能かつ回転中心となる軸線に沿って変位可能で、前記第一クラッチ部材と隣り合う位置に配設された第二クラッチ部材と、前記第二クラッチ部材を前記第一クラッチ部材側へと付勢する付勢部材とを有し、
前記クラッチ部は、前記接続状態にある場合には、前記第一クラッチ部材が回転駆動された際に前記第一クラッチ部材に生じるスラスト力で前記第一クラッチ部材が前記第二クラッチ部材側へと変位し、前記第二クラッチ部材は前記第一クラッチ部材側から押圧されて、前記付勢部材からの付勢力に抗して前記吸入ローラ側へと変位し、前記第一クラッチ部材が回転する際に前記第一クラッチ部材側にある接触部が前記第二クラッチ部材側にある被接触部に接触して、前記接触部から前記被接触部に作用する力で前記第二クラッチ部材を回転させる状態となり、かつ、前記第二クラッチ部材及び前記吸入ローラのうちのいずれか一方にある係合突起が他方にある被係合部に引っ掛かり、前記第二クラッチ部材とともに前記吸入ローラが回転する状態となり、前記切断状態にある場合には、前記第一クラッチ部材と前記第二クラッチ部材との相対位置を、前記接触部と前記被接触部が接触しない範囲内に維持しつつ、前記第一クラッチ部材及び前記第二クラッチ部材それぞれが回転する状態となり、
前記第一の状態にある場合は、前記付勢部材からの付勢力により、前記第二クラッチ部材が前記第一クラッチ部材側へと変位して、前記係合突起が前記被係合部に引っ掛からなくなることで、前記吸入ローラと前記第二クラッチ部材が一体に回転する状態が解除され、
前記第一動力伝達部によって前記吸入ローラの回転駆動を開始してから、当該吸入ローラによって搬送されるシートが前記分離ローラに到達するまでは、前記クラッチ部が前記接続状態となることによって前記第二の状態となって、前記吸入ローラが第一の搬送速度でシートを搬送方向下流側へと送出するように構成され、
前記吸入ローラによって搬送されるシートが前記分離ローラに到達すると、前記分離ローラが前記第一の搬送速度よりも高速な第二の搬送速度でシートを搬送方向下流側へと送出し、その際、前記吸入ローラが前記第二の搬送速度で搬送されるシートに追従して回転する第三の状態となることによって、前記クラッチ部が前記切断状態となるように構成され、
前記ホルダは、前記第三の状態になると、前記第二の押圧力よりも小さい第三の押圧力で前記吸入ローラを前記支持部側へと押圧する状態になる
シート搬送装置。
【請求項３】
請求項２に記載のシート搬送装置であって、
前記第一クラッチ部材は、はすば歯車により、前記スラスト力が発生するように構成されている
シート搬送装置。
【請求項４】
請求項２又は請求項３に記載のシート搬送装置であって、
前記抵抗付与部は、前記吸入ローラと一体に回転する前記第二クラッチ部材を前記第二部分として、前記第一部分に取り付けられて前記第二部分に接触することにより、当該接触箇所において前記第二部分に対して前記吸入ローラの回転を抑制する抵抗力を付与する
シート搬送装置。
【請求項５】
請求項１から請求項３までのいずれか一項に記載のシート搬送装置であって、
前記抵抗付与部は、前記吸入ローラと一体に回転する前記吸入ローラの支軸を前記第二部分として、前記第一部分に取り付けられて前記第二部分に接触することにより、当該接触箇所において前記第二部分に対して前記吸入ローラの回転を抑制する抵抗力を付与する
シート搬送装置。
【請求項６】
請求項１から請求項３までのいずれか一項に記載のシート搬送装置であって、
前記抵抗付与部は、前記吸入ローラと一体に回転する前記吸入ローラの支軸を前記第二部分として、前記第二部分に取り付けられて前記第一部分に接触することにより、当該接触箇所において前記第二部分に対して前記吸入ローラの回転を抑制する抵抗力を付与する
シート搬送装置。
【請求項７】
請求項１から請求項６までのいずれか一項に記載のシート搬送装置であって、
前記第二の押圧力が、前記第一の押圧力の１．２倍以上となるように構成されている
シート搬送装置。
【請求項８】
所定の搬送経路に沿ってシートを搬送するシート搬送部と、
前記シート搬送部によって搬送されるシートの画像を読み取る読取部と
を有する画像読取装置であって、
前記シート搬送部として、請求項１から請求項７までのいずれか一項に記載のシート搬送装置を備える
画像読取装置。
【発明の詳細な説明】
【技術分野】
【０００１】
本発明は、シート搬送装置、及び画像読取装置に関する。
【背景技術】
【０００２】
画像読取装置が備える自動原稿送り装置（Automatic Document Feeder；以下、ＡＤＦと略称する。）において、装置本体に対して揺動可能なホルダと、ホルダによって回転可能に支持された吸入ローラとを有するものが知られている（例えば特許文献１参照。）。
【０００３】
ホルダは、ＡＤＦによって搬送されるシートが積載される支持部上に対向するように配置され、支持部に積載されるシートの厚さ及び枚数に応じて揺動することにより、吸入ローラを当該吸入ローラの外周が最上位のシートに当接する位置へと変位させる。
【先行技術文献】
【特許文献】
【０００４】
【特許文献１】特開２０１３−１５５０１１号公報
【発明の概要】
【発明が解決しようとする課題】
【０００５】
ところで、上記特許文献１に記載の技術においては、付勢バネを有する押圧手段よって、吸入ローラ及びホルダをシート側へ付勢している。
しかし、このような構成を採用した場合、押圧手段による付勢力が過小になると、吸入ローラからシートに対して十分な荷重が作用せず、空送（吸入ローラが空回りしてシートを送り出せない状態）が発生する。その一方、押圧手段による付勢力が過大になると、支持部に複数枚のシートをセットする際、複数枚が重なった状態にあるシートの先端を吸入ローラの下方へ導入する作業がやりにくくなる。そのため、支持部にシートをセットしやすくすることと、シートの空送を抑制すること、双方が両立するように押圧手段による付勢力を最適化することは困難であった。
【０００６】
以上のような事情から、支持部にシートをセットしやすくすることと、シートの空送を抑制すること、双方を両立させて実現することが可能なシート搬送装置、及び画像読取装置を提供することが望ましい。
【課題を解決するための手段】
【０００７】
以下に説明するシート搬送装置は、搬送前のシートを支持可能な支持部と、支持部によって支持されたシートを、支持部から吸入する吸入ローラと、動力源から伝達される動力によって回転駆動される回転軸と、吸入ローラを回転軸に対して並列に保持し、回転軸を揺動中心として、吸入ローラを支持部に接近させる第一方向、及び吸入ローラを支持部から離間させる第二方向へ揺動可能なホルダと、ホルダに組み込まれ、回転軸から吸入ローラへ動力を伝達して当該吸入ローラを回転させる第一動力伝達部とを備え、ホルダは、回転軸が回転駆動されていない第一の状態においては、第一の押圧力で吸入ローラを支持部側へと押圧し、回転軸から第一動力伝達部を介して吸入ローラへ動力が伝達される第二の状態においては、当該動力の伝達に伴う力がホルダに作用することにより、第一の押圧力よりも大きい第二の押圧力で吸入ローラを支持部側へと押圧するように構成され、ホルダの一部及び当該ホルダに取り付けられた部材のうちの少なくとも一方を第一部分、吸入ローラ及び当該吸入ローラと一体に回転する部材のうちの少なくとも一方を第二部分として、第一部分及び第二部分のうちのいずれか一方に取り付けられて他方に接触することにより、当該接触箇所において第二部分に対して吸入ローラの回転を抑制する抵抗力を付与す
る抵抗付与部を更に有する。
【０００８】
このように構成されたシート搬送装置によれば、上述のような第一の状態から第二の状態に切り替わると、吸入ローラへの動力伝達に伴ってホルダに作用する力が、ホルダを第一方向へと揺動させる力として作用する。そのため、ホルダは、第一の押圧力で吸入ローラを支持部側へと押圧する状態から、第一の押圧力よりも大きい第二の押圧力で吸入ローラを支持部側へと押圧する状態に変化する。
【０００９】
しかも、上記シート搬送装置の場合、上述のような抵抗付与部が設けられている。そのため、第二の押圧力は、抵抗付与部が設けられていない場合よりも大きくなり、第一の押圧力と第二の押圧力との大きさの差が、抵抗付与部が設けられていない場合よりも大きくなる。
【００１０】
したがって、支持部にシートをセットする際には、相対的に小さめに設定された第一の押圧力に抗してシートの先端を吸入ローラの下方にセットすれば済む。よって、吸入ローラに対して第一の押圧力よりも大きな押圧力が作用している場合に比べ、シートを容易に支持部上の適正な位置にセットすることができる。また、シートの搬送を行う際には、吸入ローラは、相対的に大きめに設定された第二の押圧力でシートを押圧しつつ、シートを吸入することができる。よって、吸入ローラに対して第二の押圧力よりも小さな押圧力しか作用していない場合に比べ、吸入ローラがシート上で空回りするのを抑制でき、シートの空送が発生するのを抑制することができる。
【００１１】
すなわち、上記シート搬送装置によれば、上述のような抵抗付与部によって、第一の押圧力と第二の押圧力との差を大きくしたので、支持部にシートをセットしやすくすることと、シートの空送を抑制すること、双方を両立させて実現することができる。
【００１２】
以下に説明する画像読取装置は、所定の搬送経路に沿ってシートを搬送するシート搬送部と、シート搬送部によって搬送されるシートの画像を読み取る読取部とを有し、シート搬送部は、搬送前のシートを支持可能な支持部と、支持部によって支持されたシートを、支持部から吸入する吸入ローラと、動力源から伝達される動力によって回転駆動される回転軸と、吸入ローラを回転軸に対して並列に保持し、回転軸を揺動中心として、吸入ローラを支持部に接近させる第一方向、及び吸入ローラを支持部から離間させる第二方向へ揺動可能なホルダと、ホルダに組み込まれ、回転軸から吸入ローラへ動力を伝達して当該吸入ローラを回転させる第一動力伝達部とを備え、ホルダは、回転軸が回転駆動されていない第一の状態においては、第一の押圧力で吸入ローラを支持部側へと押圧し、回転軸から第一動力伝達部を介して吸入ローラへ動力が伝達される第二の状態においては、当該動力の伝達に伴う力がホルダに作用することにより、第一の押圧力よりも大きい第二の押圧力で吸入ローラを支持部側へと押圧するように構成され、ホルダの一部及び当該ホルダに取り付けられた部材のうちの少なくとも一方を第一部分、吸入ローラ及び当該吸入ローラと一体に回転する部材のうちの少なくとも一方を第二部分として、第一部分及び第二部分のうちのいずれか一方に取り付けられて他方に接触することにより、当該接触箇所において第二部分に対して吸入ローラの回転を抑制する抵抗力を付与する抵抗付与部を更に有する。
【００１３】
このように構成された画像読取装置によれば、上述したシート搬送装置と同等な構成を有する。そのため、上述したシート搬送装置について述べた通りの作用、効果を奏する。したがって、シート搬送部によって搬送されるシートの画像を読取部によって読み取る際に、シート搬送部においてシートの空送が発生するのを抑制することができる。
【図面の簡単な説明】
【００１４】
【図１】図１は複合機を示す斜視図である。
【図２】図２（Ａ）は第一カバーが閉じられた状態にある画像読取装置の内部構造を示す縦断面図である。図２（Ｂ）は第一カバーが開かれた状態にある画像読取装置の内部構造を示す縦断面図である。
【図３】図３は第一実施形態におけるホルダ及び吸入ローラ付近の構造を示す底面図である。
【図４】図４（Ａ）は図３中に示すＶＩ部を拡大して示す底面図である。図４（Ｂ）は第一クラッチ部材及び第二クラッチ部材が図４（Ａ）に示した位置よりも図４（Ｂ）中でいう前方へ変位した状態を示す底面図である。
【図５】図５（Ａ）は第一クラッチ部材と第二クラッチ部材との間に構成される動力伝達経路の構造を示す断面図である。図５（Ｂ）は回転軸と分離ローラとの間に構成される動力伝達経路の構造を示す断面図である。
【図６】図６は第二実施形態におけるホルダ及び吸入ローラ付近の構造を示す底面図である。
【図７】図７はクラッチ部と吸入ローラとの間に構成される動力伝達経路の構造を示す断面図である。
【図８】図８は第三実施形態におけるホルダ及び吸入ローラ付近の構造を示す底面図である。
【発明を実施するための形態】
【００１５】
次に、上述のシート搬送装置、及び画像読取装置について、例示的な実施形態を挙げて説明する。
（１）第一実施形態
［複合機の構造］
図１に示す複合機１は、上述のシート搬送装置及び画像読取装置の一例に相当する構成を備えるものである。なお、以下の説明においては、複合機１の各部の相対的な位置関係を簡潔に説明するため、複合機１を水平面上に設置した場合における水平面に直交する方向を上下方向、後述する操作パネル７側が向けられる方向を前方、前方の反対方向を後方と規定する。左右方向は、上記前方から複合機１を見た場合における左右方向である。ただし、可動部品等の向きは変更され得るので、図中に示した方向が常に維持されるとは限らない。
【００１６】
複合機１は、本体ユニット２と、本体ユニット２の上側に配設された読取ユニット３（本明細書でいう画像読取装置の一例に相当。）とを備える。読取ユニット３は、フラットベッド部（以下、ＦＢ部と称する。）４と、ＦＢ部４の上側に設けられたＡＤＦ部５（本明細書でいうシート搬送装置の一例に相当。）とを備える。本体ユニット２の前面側には、操作パネル７が設けられている。操作パネル７の下方には、被記録媒体が収容される媒体供給カセット９が取り付けられている。
【００１７】
本体ユニット２の内部には、制御部、画像形成部、及びＬＡＮ通信部などが設けられている。本体ユニット２の上面側には開口（図示略。）が形成されている。読取ユニット３は、本体ユニット２に対して開閉可能に取り付けられ、本体ユニット２の上面側にある開口を塞ぐ閉位置と、本体ユニット２の上面側にある開口を開放する開位置との間を変位する。
【００１８】
ＡＤＦ部５は、ＦＢ部４に対して開閉可能に取り付けられ、ＦＢ部４の上面側を覆う閉位置とＦＢ部４の上面側を外部に露出させる開位置との間を変位する。ＡＤＦ部５を閉位置へ変位させた場合には、ＡＤＦ部５によってシートを搬送することができ、また、ＦＢ部４の上面に置かれた読み取り対象物（例えばシート。）をＡＤＦ部５で覆うことができる。また、ＡＤＦ部５を開位置へ変位させた場合には、ＦＢ部４の上面に読み取り対象物
を置くことができ、ＦＢ部４の上面に既に置かれている読み取り対象物を取り除くことができる。
【００１９】
読取ユニット３において、ＡＤＦ部５には、図２（Ａ）及び図２（Ｂ）に示すように、所定の搬送経路（図２（Ｂ）中に破線で示す経路参照。）に沿ってシートを搬送する搬送部１０が設けられている。この搬送部１０は、吸入ローラ１１、分離ローラ１２Ａ、分離片１２Ｂ、搬送ローラ１３、反転ローラ１４Ａ、第一ピンチローラ１４Ｂ、第二ピンチローラ１４Ｃ、排出ローラ１５Ａ、及び第三ピンチローラ１５Ｂなどを備えている。
【００２０】
ＡＤＦ部５の上面には、図１，図２（Ａ），及び図２（Ｂ）に示すように、第一カバー１６、第二カバー１７、及び第三カバー１８が設けられている。これら第一カバー１６、第二カバー１７、及び第三カバー１８は、それぞれが回動可能に支持されている。また、第一カバー１６、第二カバー１７、及び第三カバー１８は、それぞれが図２（Ａ）に示す位置にある状態において、ＡＤＦ部５の上面側の外装を構成する。
【００２１】
また、第一カバー１６を図２（Ｂ）に示す位置に変位させた場合、ＡＤＦ部５には、搬送部１０へと供給される搬送前のシートを、当該シートの下側から支持するシート供給部２１（本明細書でいう支持部の一例に相当。）と、搬送部１０から排出される搬送後のシートを、当該シートの下側から支持するシート排出部２２が構成される。
【００２２】
シート供給部２１に載置されるシートは、図２（Ｂ）中に破線で示す搬送経路に沿って搬送されて、シート排出部２２へと排出される。その際、吸入ローラ１１によってシート供給部２１から搬送方向下流側へと送り出されるシートは、分離ローラ１２Ａ及び分離片１２Ｂによって１枚ずつに分離される。そして、更に搬送ローラ１３や反転ローラ１４Ａによって搬送方向下流側へと搬送されて、排出ローラ１５Ａによってシート排出部２２上へと排出される。
【００２３】
上記搬送経路に沿った位置で、反転ローラ１４Ａと排出ローラ１５Ａとの間となる位置には、第一プラテン２５Ａと、第一シート押さえ２７Ａが設けられている。また、上記搬送経路に沿った位置で、搬送ローラ１３と反転ローラ１４Ａとの間となる位置には、第二プラテン２５Ｂと、第二シート押さえ２７Ｂが設けられている。第一プラテン２５Ａ、及び第二プラテン２５Ｂは、透明なガラス板によって構成されている。第一シート押さえ２７Ａは、第一プラテン２５Ａの上面に接触しつつ通過するシートが第一プラテン２５Ａ側から浮き上がるのを抑制する。第二シート押さえ２７Ｂは、第二プラテン２５Ｂの上面に接触しつつ通過するシートが第二プラテン２５Ｂ側から浮き上がるのを抑制する。
【００２４】
また、ＦＢ部４には、第三プラテン２５Ｃが設けられ、ＡＤＦ部５には、第三シート押さえ２７Ｃが設けられている。第三プラテン２５Ｃは、透明なガラス板によって構成されている。第三シート押さえ２７Ｃは、発泡樹脂層と硬質樹脂フィルム層とを積層してなる積層体によって構成されている。ＡＤＦ部５が閉じられた際、第三シート押さえ２７Ｃは、第三プラテン２５Ｃ上に載置されたシートが第三プラテン２５Ｃ側から浮き上がるのを抑制する。
【００２５】
ＦＢ部４には、ガイドレール２９、キャリッジ３０、第一イメージセンサ３１Ａなどが配設されている。ＡＤＦ部５には、第二イメージセンサ３１Ｂが配設されている。ガイドレール２９は、第一プラテン２５Ａの下方から第三プラテン２５Ｃの下方にわたる範囲において、第一プラテン２５Ａ及び第三プラテン２５Ｃの下面と平行な状態で、本実施形態でいう左右方向に延在している。
【００２６】
キャリッジ３０は、ガイドレール２９の上側に取り付けられることにより、ガイドレー
ル２９に沿って左右方向へ往復移動可能な状態で支持されている。このキャリッジ３０は、歯付きベルト（図示略。）に連結され、歯付きベルトが循環駆動されるのに追従して左右方向へ往復移動する。
【００２７】
第一イメージセンサ３１Ａ、及び第二イメージセンサ３１Ｂは、本実施形態の場合、密着イメージセンサ（ＣＩＳ；Contact Image Sensor）が採用されている。第一イメージセンサ３１Ａは、キャリッジ３０に搭載されて、キャリッジ３０とともに左右方向へ往復移動する。第二イメージセンサ３１Ｂは、所定の位置に配設されていて、その位置から移動することはない。
【００２８】
第一イメージセンサ３１Ａ、及び第二イメージセンサ３１Ｂが有する複数の読取素子は、本実施形態でいう前後方向（主走査方向）に配列されている。第三プラテン２５Ｃの上面に載置されたシートの画像を読み取る場合、第一イメージセンサ３１Ａは、キャリッジ３０とともに本実施形態でいう左右方向（副走査方向）へ移動しながら画像を読み取る。
【００２９】
また、搬送部１０によって搬送されるシートの画像を読み取る場合、第一イメージセンサ３１Ａは、第一シート押さえ２７Ａ及び第一プラテン２５Ａの下方で静止し、第一プラテン２５Ａの上面に接触しつつ本実施形態でいう左右方向（副走査方向）へ通過するシートの画像を読み取る。第二イメージセンサ３１Ｂは、第二シート押さえ２７Ｂ及び第二プラテン２５Ｂの下方において、第二プラテン２５Ｂの上面に接触しつつ本実施形態でいう左右方向（副走査方向）へ通過するシートの画像を読み取る。
【００３０】
［吸入ローラ及び分離ローラに対する動力伝達機構］
ＡＤＦ部５において、上述した分離ローラ１２Ａの回転中心に相当する位置には、図２（Ａ）及び図２（Ｂ）に示すように、回転軸４１が配設されている。回転軸４１は、搬送部１０の作動時に、図示しないモータから伝達される動力により、図２（Ａ）及び図２（Ｂ）中で時計回りとなる方向へ回転駆動される。
【００３１】
回転軸４１には、図２（Ａ）、図２（Ｂ）、及び図３に示すように、ホルダ４３が取り付けられている。ホルダ４３には、上述した吸入ローラ１１が回転可能に取り付けられ、吸入ローラ１１は、ホルダ４３によって回転軸４１に対して並列に保持されている。ホルダ４３は、回転軸４１を揺動中心として揺動可能に構成され、吸入ローラ１１をシート供給部２１に接近させる第一方向、及び吸入ローラ１１をシート供給部２１から離間させる第二方向へ揺動可能となっている。
【００３２】
ホルダ４３において、吸入ローラ１１及び分離ローラ１２Ａよりも後方となる箇所には、図３に示すように、回転軸４１から吸入ローラ１１へと動力を伝達する第一動力伝達部４５が組み込まれている。第一動力伝達部４５は、第一ギヤ４７、第二ギヤ４８、クラッチ部５１などを有する。クラッチ部５１は、第一クラッチ部材５１１、第二クラッチ部材５１２、及び付勢部材５１３などを有する。
【００３３】
第一ギヤ４７は、回転軸４１が回転駆動された際に、回転軸４１と一体に回転する。第二ギヤ４８は、第一ギヤ４７と第一クラッチ部材５１１との間に介在するアイドルギヤであり、第一ギヤ４７に連動して回転する。第一クラッチ部材５１１は、第二ギヤ４８に連動して回転する。
【００３４】
第一ギヤ４７、第二ギヤ４８、及び第一クラッチ部材５１１は、それぞれがはすば歯車とされている。第一クラッチ部材５１１の歯は、第一クラッチ部材５１１が回転駆動された際に、第一クラッチ部材５１１を前方へと変位させるスラスト力（軸方向への推力。）が作用する向きに傾斜している。また、第二ギヤ４８の歯は、第一クラッチ部材５１１と
噛み合う向きに傾斜し、第一ギヤ４７の歯は、第二ギヤ４８と噛み合う向きに傾斜している。
【００３５】
第一クラッチ部材５１１及び第二クラッチ部材５１２は、前後方向へ変位可能に支持され、図４（Ａ）に示す初期位置と図４（Ｂ）に示す作動位置との間で変位可能となっている。第一クラッチ部材５１１が静止状態にある場合、第一クラッチ部材５１１及び第二クラッチ部材５１２は、付勢部材５１３によって図中後方へと付勢される。そのため、第一クラッチ部材５１１及び第二クラッチ部材５１２は、図４（Ａ）に示す初期位置へ変位した状態で保持される。
【００３６】
一方、回転軸４１から伝わる動力で第一ギヤ４７、第二ギヤ４８、及び第一クラッチ部材５１１が回転駆動された場合、第一クラッチ部材５１１には、第一クラッチ部材５１１を前方へと変位させるスラスト力が生じる。このとき、第一クラッチ部材５１１は、第二クラッチ部材５１２を前方へと押圧し、第一クラッチ部材５１１及び第二クラッチ部材５１２の双方が、付勢部材５１３の付勢力に抗して、図４（Ｂ）に示す作動位置へと変位する。
【００３７】
第二クラッチ部材５１２は略円筒形に形成され、第二クラッチ部材５１２の前端の周縁に沿って、前方に向かって突出する複数の係合突起５３が設けられている。吸入ローラ１１の後端は第二クラッチ部材５１２と対向しており、この第二クラッチ部材５１２と対向する箇所には、第二クラッチ部材５１２が図４（Ｂ）に示す作動位置へと変位した際に、係合突起５３が入り込む被係合部５４が形成されている。第一クラッチ部材５１１が回転駆動されて、第一クラッチ部材５１１及び第二クラッチ部材５１２が図４（Ｂ）に示す作動位置へ変位すると、複数の係合突起５３が被係合部５４に入り込む。そのため、第二クラッチ部材５１２が回転駆動された際には、被係合部５４に入り込んだ複数の係合突起５３が吸入ローラ１１へ回転力を伝達し、吸入ローラ１１は第二クラッチ部材５１２とともに回転する状態になる。
【００３８】
クラッチ部５１は、第一動力伝達部４５側からの動力が吸入ローラ１１へ伝達される状態（以下、接続状態と称する。）、及び第一動力伝達部４５側からの動力が吸入ローラ１１へ伝達されない状態（以下、切断状態と称する。）を、いずれかに一方に切り替える。
【００３９】
より詳しく説明すると、第一クラッチ部材５１１は、図５（Ａ）に示すように、第二クラッチ部材５１２の内周側に導入される筒状部５５を有する。また、第一クラッチ部材５５１１は、図５（Ａ）に表れる断面形状において、筒状部５５の外周面からクラッチ部材５１２の内周面５１２Ａに向かってから遠心方向へ突出する形状とされた接触部５７を有する。なお、筒状部５５の外周とクラッチ部材５１２の内周面５１２Ａとの間には所定の隙間が形成されている。第二クラッチ部材５１２は、図５（Ａ）に表れる断面形状において、内周面５１２Ａから筒状部５５に向かって回転中心方向へ突出する形状とされた被接触部５８を有する。
【００４０】
第一クラッチ部材５１１が回転駆動された際、第一クラッチ部材５１１は、図５（Ａ）中で時計回りとなる方向へ回転する。これにより、接触部５７が被接触部５８に接触する位置へ到達すると、接触部５７から被接触部５８に対して力が作用し、第一クラッチ部材５１１から第二クラッチ部材５１２へ動力が伝達される状態（すなわち、接続状態。）となる。接続状態となった場合、第二クラッチ部材５１２は、第一クラッチ部材５１１に連動して図５（Ａ）中で時計回りとなる方向へ回転する。
【００４１】
こうして第一クラッチ部材５１１及び第二クラッチ部材５１２が回転駆動されると、上述の通り、第一クラッチ部材５１１及び第二クラッチ部材５１２は、図４（Ｂ）に示す作
動位置へと変位し、吸入ローラ１１も第二クラッチ部材５１２とともに回転する。このとき、吸入ローラ１１は、シート供給部２１に載置されたシートに吸入ローラ１１の外周面で接触しつつ回転し、そのシートを読取モード等に応じた所定の搬送速度（本明細書でいう第一の搬送速度の一例に相当。）で搬送方向下流側へと送出する。
【００４２】
また、搬送部１０においてシートを搬送する際、分離ローラ１２Ａは、吸入ローラ１１による搬送速度を上回る搬送速度（本明細書でいう第二の搬送速度の一例に相当。）でシートを搬送するように構成されている。また、搬送ローラ１３は、分離ローラ１２Ａによる搬送速度を上回る搬送速度（これも本明細書でいう第二の搬送速度の一例に相当。）でシートを搬送するように構成されている。
【００４３】
そのため、分離ローラ１２Ａ又は搬送ローラ１３によってシートが搬送される際には、シートの搬送速度（上記第二の搬送速度に相当。）が、吸入ローラ１１による搬送速度（上記第一の搬送速度に相当。）を上回る。この場合、上記第二の搬送速度で搬送されるシートによって吸入ローラ１１の外周面が引っ張られ、吸入ローラ１１はシートに追従する速度で回転する。
【００４４】
その際、第二クラッチ部材５１２は吸入ローラ１１とともに回転し、第二クラッチ部材５１２の回転速度は第一クラッチ部材５１１の回転速度を上回る。そのため、図５（Ａ）に示した被接触部５８は接触部５７から離間し、第一クラッチ部材５１１側から第二クラッチ部材５１２側へ動力が伝達されない状態（すなわち、切断状態。）になる。
【００４５】
その後、分離ローラ１２Ａ又は搬送ローラ１３によって搬送されるシートの搬送方向後端が、吸入ローラ１１との接触箇所を通過すると、吸入ローラ１１の外周面にはシートからの力が作用しなくなり、吸入ローラ１１の回転が停止する。
【００４６】
その際、第二クラッチ部材５１２は吸入ローラ１１とともに回転が停止する。一方、第一クラッチ部材５１１は、回転軸４１側から伝達される動力による回転を継続しているため、第二クラッチ部材５１２に対して相対的に回動する。
【００４７】
その結果、最終的には接触部５７が被接触部５８に接触する位置へ到達し、再び第一クラッチ部材５１１から第二クラッチ部材５１２へ動力が伝達される状態（すなわち、接続状態。）になり、吸入ローラ１１が回転する。このように吸入ローラ１１の回転が停止してから、しばらくは第二クラッチ部材５１２が回転を停止したまま、第一クラッチ部材５１１が回転することにより、順次搬送されるシート間には、所定の隙間が確保されることになる。
【００４８】
ちなみに、分離ローラ１２Ａは、回転軸４１に対して相対的に回動可能な状態で回転軸４１に取り付けられている。回転軸４１には、図５（Ｂ）に示すように、回転軸４１が回転駆動された際に、回転軸４１から分離ローラ１２Ａへ動力を伝達する第二動力伝達部６１が設けられている。本実施形態の場合、第二動力伝達部６１は、回転軸４１から遠心方向へ突出するピン６１Ａによって構成される。分離ローラ１２Ａは、図５（Ｂ）に表れる断面形状が、回転中心方向へ突出する形状とされた被当接部６３を有する。
【００４９】
回転軸４１が回転駆動された際には、第二動力伝達部６１を構成するピン６１Ａが、図５（Ｂ）中で時計回りとなる方向へ回転する。その際、ピン６１Ａが被当接部６３に当接する位置まで回転すると、以降は、ピン６１Ａから被当接部６３に対して力が作用し、その力で分離ローラ１２Ａが、図５（Ｂ）中で時計回りとなる方向へ回転する。
【００５０】
また、上述の通り、搬送ローラ１３によってシートが搬送される際には、シートの搬送
速度が、分離ローラ１２Ａによる搬送速度を上回る。この場合、搬送ローラ１３によって搬送されるシートによって分離ローラ１２Ａの外周面が引っ張られ、分離ローラ１２Ａはシートに追従する速度で回転する。そのため、上述した被当接部６３はピン６１Ａから離間し、回転軸４１側から分離ローラ１２Ａ側へ動力が伝達されない状態になる。
【００５１】
回転軸４１の回転駆動が停止された場合には、第一ギヤ４７、第二ギヤ４８、及び第一クラッチ部材５１１が回転しなくなり、第一クラッチ部材５１１にはスラスト力が生じなくなる。この場合、第一クラッチ部材５１１及び第二クラッチ部材５１２は、付勢部材５１３の付勢力によって、図４（Ａ）に示す初期位置へ復帰することになる。
【００５２】
ホルダ４３において、第二クラッチ部材５１２の外周付近には、抵抗付与部６５が組み込まれている。抵抗付与部６５は、摩擦抵抗の大きい素材（例えば、合成ゴム。）で形成され、吸入ローラ１１と一体に回転する第二クラッチ部材５１２の外周面に接触することにより、第二クラッチ部材５１２の外周面に対して吸入ローラ１１の回転を抑制する抵抗力を付与する。すなわち、抵抗付与部６５を設けることにより、第二クラッチ部材５１２及び吸入ローラ１１を駆動するために必要なトルクは、抵抗付与部６５がない場合よりも大きくなるように構成されている。なお、第一実施形態においては、ホルダ４３が本明細書でいう第一部分の一例に相当し、第二クラッチ部材５１２が本明細書でいう第二部分の一例に相当し、抵抗付与部６５は第一部分であるホルダ４３に取り付けられている。
【００５３】
ホルダ４３は、回転軸４１が回転駆動されていない状態（本明細書でいう第一の状態の一例に相当。以下、第一の状態とも称する。）においては、第一の押圧力で吸入ローラ１１をシート供給部２１側へと押圧する。この第一の押圧力は、主にホルダ４３及びホルダ４３に組み込まれた部品の自重によって生じる押圧力である。
【００５４】
また、ホルダ４３は、回転軸４１が回転駆動された際、回転軸４１から第一動力伝達部４５を介して吸入ローラ１１へ動力が伝達される状態（本明細書でいう第二の状態の一例に相当。以下、第二の状態とも称する。）においては、上記第一の押圧力よりも大きい第二の押圧力で吸入ローラ１１をシート供給部２１側へと押圧する。第二の押圧力は、ホルダ４３及びホルダ４３に組み込まれた部品の自重に加え、回転軸４１がホルダ４３を第一方向へと付勢する力が作用するため、その付勢力の分だけ第一の押圧力よりも大きい押圧力となる。
【００５５】
さらに、ホルダ４３は、回転軸４１が回転駆動された際、吸入ローラ１１が第二の搬送速度で搬送されるシートに追従して回転する状態（本明細書でいう第三の状態の一例に相当。以下、第三の状態とも称する。）においては、クラッチ部５１が切断状態となる。そのため、回転軸４１には、第二クラッチ部材５１２及び吸入ローラ１１を駆動する場合よりも負荷がかからなくなり、それに伴って、回転軸４１がホルダ４３を第一方向へと付勢する力は、上記第二の状態よりも小さくなる。そのため、この場合、ホルダ４３は、上記第二の押圧力よりも小さい第三の押圧力で吸入ローラ１１をシート供給部２１側へと押圧する。ただし、上記第一の状態においては、回転軸４１がホルダ４３を第一方向へと付勢する力が作用しないので、第三の押圧力は、上記第一の押圧力よりは大きくなる。
【００５６】
特に、本実施形態において、ホルダ４３には、上述の抵抗付与部６５が組み込まれているため、第二クラッチ部材５１２及び吸入ローラ１１を駆動する場合には、回転軸４１側に大きな負荷がかかり、抵抗付与部６５が設けられていない場合よりも、第二の押圧力は大きくなる。換言すれば、抵抗付与部６５によって第二クラッチ部材５１２及び吸入ローラ１１の駆動時にかかる負荷を増減調整することにより、第二の押圧力の増減調整を行うことができる。
【００５７】
第二の押圧力の増減調整を行う際には、第二の押圧力は、第一の押圧力の１．２倍以上となるように調節されていると好ましい。本実施形態の場合、第一の押圧力は約０．２Ｎ、第二の押圧力は約０．３Ｎで、第二の押圧力は第一の押圧力の約１．５倍となるように調節されている。
【００５８】
［効果］
以上説明した通り、上記複合機１において、吸入ローラ１１は、回転軸４１が回転駆動されない際には、第一の押圧力でシート供給部２１側へ押圧される。また、吸入ローラ１１は、回転軸４１から伝達される動力で回転駆動される際には、第二の押圧力でシート供給部２１側へ押圧される。さらに、吸入ローラ１１は、分離ローラ１２Ａ又は搬送ローラ１３によって搬送されるシートに追従して回転する際には、第三の押圧力でシート供給部２１側へ押圧される。そして、それらの押圧力の大小関係は、第一の押圧力＜第三の押圧力＜第二の押圧力という関係になっている。
【００５９】
しかも、上述のような抵抗付与部６５が設けられているため、第二の押圧力は、抵抗付与部６５が設けられていない場合よりも大きくなり、第一の押圧力と第二の押圧力との大きさの差が、抵抗付与部６５が設けられていない場合よりも大きくなる。
【００６０】
したがって、シート供給部２１にシートをセットする際には、相対的に小さめに設定された第一の押圧力に抗してシートの先端を吸入ローラ１１の下方にセットすれば済む。よって、吸入ローラ１１に対して第一の押圧力よりも大きな押圧力が作用している場合に比べ、シートを容易に適正な位置にセットすることができる。また、シートの搬送を行う際には、吸入ローラ１１は、相対的に大きめに設定された第二の押圧力でシートを押圧しつつ、シートを吸入することができる。よって、吸入ローラ１１に対して第二の押圧力よりも小さな押圧力しか作用していない場合に比べ、吸入ローラ１１がシート上で空回りするのを抑制でき、シートの空送が発生するのを抑制することができる。
【００６１】
すなわち、上記ＡＤＦ部５によれば、上述のような抵抗付与部６５によって、第一の押圧力と第二の押圧力との差を大きくしたので、シート供給部２１にシートをセットしやすくすることと、シートの空送を抑制すること、双方を両立させて実現することができる。
【００６２】
さらに、上述のような第二の状態から第三の状態に切り替わると、ホルダ４３は、第二の押圧力で吸入ローラ１１をシート供給部２１側へと押圧する状態から、第三の押圧力で吸入ローラ１１をシート供給部２１側へと押圧する状態に変化する。
【００６３】
したがって、ホルダ４３が第二の押圧力で吸入ローラ１１をシート供給部２１側へと押圧しつづける場合に比べ、吸入ローラ１１によるシートの吸入力を弱めることができ、二枚以上のシートがまとめて吸入されて重送されるのを抑制することができる。
【００６４】
（２）第二実施形態
次に、第二実施形態について説明する。なお、第二実施形態は、第一実施形態で例示した構成の一部を変更しただけなので、第一実施形態との相違点を中心に詳述し、第一実施形態と同様な部分に関しては、その詳細な説明を省略する。
【００６５】
第二実施形態においては、図６に示すように、クラッチ部７１の構造が、第一実施形態とは相違する。また、抵抗付与部７３の配設位置及び接触対象が、第一実施形態とは相違する。
【００６６】
すなわち、第一実施形態におけるクラッチ部５１は、第一クラッチ部材５１１、第二クラッチ部材５１２、及び付勢部材５１３を備えていた。これに対し、第二実施形態のクラ
ッチ部７１は、第二ギヤ４８と吸入ローラ１１との間に介在する単一部品で、第二ギヤ４８から吸入ローラ１１へ動力を伝達するように構成されている。
【００６７】
第二ギヤ４８からクラッチ部７１へは、歯車の噛み合いによって動力を伝達する。ただし、クラッチ部７１は、第一実施形態における第一クラッチ部材５１１及び第二クラッチ部材５１２とは異なり、前後方向へ変位するものではない。そのため、第二実施形態において、第一ギヤ４７、第二ギヤ４８、及びクラッチ部７１は、はすば歯車とされていなくてもよい。
【００６８】
クラッチ部７１から吸入ローラ１１へは、第一実施形態における第一クラッチ部材５１１から第二クラッチ部材５１２へ動力を伝達する仕組みと、同等な仕組みによって動力が伝達される。より詳しく説明すると、クラッチ部７１は、図７に示すように、吸入ローラ１１の内周側に導入される筒状部７５と、図７に表れる断面形状が筒状部７５から遠心方向へ突出する形状とされた接触部７７とを有する。吸入ローラ１１は、図７に表れる断面形状が、回転中心方向へ突出する形状とされた被接触部７８を有する。
【００６９】
クラッチ部７１が回転駆動された際、クラッチ部７１は、図７中で時計回りとなる方向へ回転する。これにより、接触部７７が被接触部７８に接触する位置へ到達すると、接触部７７から被接触部７８に対して力が作用し、クラッチ部７１から吸入ローラ１１へ動力が伝達される状態（すなわち、接続状態。）となる。接続状態となった場合、吸入ローラ１１は、クラッチ部７１に連動して図７中で時計回りとなる方向へ回転する。
【００７０】
分離ローラ１２Ａ又は搬送ローラ１３によって搬送されるシートに追従して吸入ローラ１１が回転する場合には、吸入ローラ１１の回転速度はクラッチ部７１の回転速度を上回る。そのため、図７に示した被接触部７８は接触部７７から離間し、クラッチ部７１側から吸入ローラ１１側へ動力が伝達されない状態（すなわち、切断状態。）になる。
【００７１】
抵抗付与部７３は、第一実施形態と同様に、摩擦抵抗の大きい素材（例えば、合成ゴム。）で形成される。ただし、抵抗付与部７３の配設位置及び接触対象は、第一実施形態とは異なり、抵抗付与部７３は、吸入ローラ１１の支軸１１Ａに対して摩擦抵抗を付与する位置に配設されている。なお、第二実施形態においては、ホルダ４３が本明細書でいう第一部分の一例に相当し、支軸１１Ａが本明細書でいう第二部分の一例に相当し、抵抗付与部７３は第一部分であるホルダ４３に取り付けられている。
【００７２】
以上のような構成を採用した場合でも、抵抗付与部７３によって吸入ローラ１１の回転を抑制する抵抗力を付与してあるので、第二の押圧力は、抵抗付与部７３が設けられていない場合よりも大きくなり、第一の押圧力と第二の押圧力との大きさの差が、抵抗付与部７３が設けられていない場合よりも大きくなる。
【００７３】
したがって、シート供給部２１にシートをセットする際には、相対的に小さめに設定された第一の押圧力に抗してシートの先端を吸入ローラ１１の下方にセットすれば済む。よって、吸入ローラ１１に対して第一の押圧力よりも大きな押圧力が作用している場合に比べ、シートを容易に適正な位置にセットすることができる。また、シートの搬送を行う際には、吸入ローラ１１は、相対的に大きめに設定された第二の押圧力でシートを押圧しつつ、シートを吸入することができる。よって、吸入ローラ１１に対して第二の押圧力よりも小さな押圧力しか作用していない場合に比べ、吸入ローラ１１がシート上で空回りするのを抑制でき、シートの空送が発生するのを抑制することができる。
【００７４】
また、上述のような第二の状態から第三の状態に切り替わると、ホルダ４３は、第二の押圧力で吸入ローラ１１をシート供給部２１側へと押圧する状態から、第三の押圧力で吸
入ローラ１１をシート供給部２１側へと押圧する状態に変化する。
【００７５】
したがって、ホルダ４３が第二の押圧力で吸入ローラ１１をシート供給部２１側へと押圧しつづける場合に比べ、吸入ローラ１１によるシートの吸入力を弱めることができ、二枚以上のシートがまとめて吸入されて重送されるのを抑制することができる。
【００７６】
（３）第三実施形態
次に、第三実施形態について説明する。なお、第三実施形態は、第二実施形態で例示した構成の一部を変更しただけなので、第二実施形態との相違点を中心に詳述し、第二実施形態と同様な部分に関しては、その詳細な説明を省略する。
【００７７】
第三実施形態においては、図８に示すように、抵抗付与部８１の配設位置及び接触対象が、第一実施形態及び第二実施形態とは相違する。なお、クラッチ部７１は、第二実施形態と同等な構成（すなわち、第一実施形態とは異なる構成。）とされている。
【００７８】
抵抗付与部８１は、第一実施形態や第二実施形態と同様に、摩擦抵抗の大きい素材（例えば、合成ゴム。）で形成される。ただし、第一実施形態における抵抗付与部６５や、第二実施形態における抵抗付与部７３は、双方ともホルダ４３に取り付けられていたが、第三実施形態における抵抗付与部８１は、吸入ローラ１１の支軸１１Ａに取り付けられている。そのため、第三実施形態における抵抗付与部８１は、第一実施形態における抵抗付与部６５、及び第二実施形態における抵抗付与部７３とは異なり、吸入ローラ１１が回転駆動される際に、吸入ローラ１１の支軸１１Ａと一体に回転する。
【００７９】
ホルダ４３には、抵抗付与部８１に接触することにより、抵抗付与部８１の回転を抑制する回転抑制部８３が形成されている。回転抑制部８３は、樹脂材料でホルダ４３を成形する際に、ホルダ４３の一部として一体成形された部分である。ただし、回転抑制部８３は、ホルダ４３とは別体の部材をホルダ４３に取り付けることによって構成されていてもよい。なお、第三実施形態においては、ホルダ４３が本明細書でいう第一部分の一例に相当し、支軸１１Ａが本明細書でいう第二部分の一例に相当し、抵抗付与部７３は第二部分である支軸１１Ａに取り付けられている。
【００８０】
以上のような構成を採用した場合でも、抵抗付与部８１によって吸入ローラ１１の回転を抑制する抵抗力を付与してあるので、第二の押圧力は、抵抗付与部８１が設けられていない場合よりも大きくなり、第一の押圧力と第二の押圧力との大きさの差が、抵抗付与部８１が設けられていない場合よりも大きくなる。
【００８１】
したがって、シート供給部２１にシートをセットする際には、相対的に小さめに設定された第一の押圧力に抗してシートの先端を吸入ローラ１１の下方にセットすれば済む。よって、吸入ローラ１１に対して第一の押圧力よりも大きな押圧力が作用している場合に比べ、シートを容易に適正な位置にセットすることができる。また、シートの搬送を行う際には、吸入ローラ１１は、相対的に大きめに設定された第二の押圧力でシートを押圧しつつ、シートを吸入することができる。よって、吸入ローラ１１に対して第二の押圧力よりも小さな押圧力しか作用していない場合に比べ、吸入ローラ１１がシート上で空回りするのを抑制でき、シートの空送が発生するのを抑制することができる。
【００８２】
（４）他の実施形態
以上、シート搬送装置、及び画像読取装置について、例示的な実施形態を挙げて説明したが、上述の実施形態は本発明の一態様として例示されるものに過ぎない。すなわち、本発明は、上述の例示的な実施形態に限定されるものではなく、本発明の技術的思想を逸脱しない範囲内において、様々な形態で実施することができる。
【００８３】
例えば、上記実施形態では、画像読取装置に相当する読取ユニット３及びシート搬送装置に相当するＡＤＦ部５が、複合機１に組み込まれる事例を示したが、単機能のイメージスキャナ装置として構成されたものにおいて、上述の構成を採用してもよい。
【００８４】
（５）補足
なお、以上説明した例示的な実施形態から、本明細書で説明したシート搬送装置、及び画像読取装置は、更に以下に挙げるような構成を備えていてもよいことが把握できる。
【００８５】
まず、本明細書で説明したシート搬送装置、及び画像読取装置においては、第二の押圧力が、第一の押圧力の１．２倍以上となるように構成されていてもよい。
このように構成されたシート搬送装置、及び画像読取装置によれば、上述の通り、第一の押圧力は第二の押圧力よりも弱いので、支持部にシートをセットしやすくなり、第二の押圧力は第一の押圧力よりも強いので、シートの空送を抑制することができる。
【００８６】
また、本明細書で説明したシート搬送装置、及び画像読取装置においては、吸入ローラによって吸入されたシートを一枚ずつに分離して搬送方向下流側へと送出する分離ローラと、回転軸から分離ローラへ動力を伝達することにより、分離ローラを回転させる第二動力伝達部とを有し、第一動力伝達部は、第一動力伝達部側からの動力が吸入ローラへ伝達される接続状態、及び第一動力伝達部側からの動力が吸入ローラへ伝達されない切断状態が、いずれかに一方に切り替わるクラッチ部を有し、クラッチ部は、接続状態にある場合には、クラッチ部が回転する際にクラッチ部側にある接触部が吸入ローラ側にある被接触部に接触して、接触部から被接触部に作用する力で吸入ローラを回転させる状態となり、切断状態にある場合には、吸入ローラとクラッチ部との相対位置を、接触部と被接触部が接触しない範囲内に維持しつつ、吸入ローラ及びクラッチ部それぞれが回転する状態となり、第一動力伝達部によって吸入ローラの回転駆動を開始してから、当該吸入ローラによって搬送されるシートが分離ローラに到達するまでは、クラッチ部が接続状態となることによって第二の状態となって、吸入ローラが第一の搬送速度でシートを搬送方向下流側へと送出するように構成され、吸入ローラによって搬送されるシートが分離ローラに到達すると、分離ローラが第一の搬送速度よりも高速な第二の搬送速度でシートを搬送方向下流側へと送出し、その際、吸入ローラが第二の搬送速度で搬送されるシートに追従して回転する第三の状態となることによって、クラッチ部が切断状態となるように構成され、ホルダは、第三の状態になると、第二の押圧力よりも小さい第三の押圧力で吸入ローラを支持部側へと押圧する状態になるように構成されていてもよい（例えば、第二実施形態参照。）。
【００８７】
このように構成されたシート搬送装置によれば、上述のような第二の状態から第三の状態に切り替わると、第一動力伝達部から吸入ローラへは動力が伝達されなくなり、それに伴ってホルダを第一方向へと揺動させる力が減少する。そのため、ホルダは、第二の押圧力で吸入ローラを支持部側へと押圧する状態から、第二の押圧力よりも小さい第三の押圧力で吸入ローラを支持部側へと押圧する状態に変化する。
【００８８】
したがって、ホルダが第二の押圧力で吸入ローラを支持部側へと押圧しつづける場合に比べ、吸入ローラによるシートの吸入力を弱めることができ、二枚以上のシートがまとめて吸入されて重送されるのを抑制することができる。
【００８９】
また、本明細書で説明したシート搬送装置、及び画像読取装置においては、吸入ローラによって吸入されたシートを一枚ずつに分離して搬送方向下流側へと送出する分離ローラと、回転軸から分離ローラへ動力を伝達することにより、分離ローラを回転させる第二動力伝達部とを有し、第一動力伝達部は、第一動力伝達部側からの動力が吸入ローラへ伝達
される接続状態、及び第一動力伝達部側からの動力が吸入ローラへ伝達されない切断状態が、いずれかに一方に切り替わるクラッチ部を有し、クラッチ部は、回転可能かつ回転中心となる軸線に沿って変位可能な第一クラッチ部材と、第一クラッチ部材と同一軸線を中心に回転可能かつ回転中心となる軸線に沿って変位可能で、第一クラッチ部材と隣り合う位置に配設された第二クラッチ部材と、第二クラッチ部材を第一クラッチ部材側へと付勢する付勢部材とを有し、クラッチ部は、接続状態にある場合には、第一クラッチ部材が回転駆動された際に第一クラッチ部材に生じるスラスト力で第一クラッチ部材が第二クラッチ部材側へと変位し、第二クラッチ部材は第一クラッチ部材側から押圧されて、付勢部材からの付勢力に抗して吸入ローラ側へと変位し、第一クラッチ部材が回転する際に第一クラッチ部材側にある接触部が第二クラッチ部材側にある被接触部に接触して、接触部から被接触部に作用する力で第二クラッチ部材を回転させる状態となり、かつ、第二クラッチ部材及び吸入ローラのうちのいずれか一方にある係合突起が他方にある被係合部に引っ掛かり、第二クラッチ部材とともに吸入ローラが回転する状態となり、切断状態にある場合には、第一クラッチ部材と第二クラッチ部材との相対位置を、接触部と被接触部が接触しない範囲内に維持しつつ、第一クラッチ部材及び第二クラッチ部材それぞれが回転する状態となり、第一の状態にある場合は、付勢部材からの付勢力により、第二クラッチ部材が第一クラッチ部材側へと変位して、係合突起が被係合部に引っ掛からなくなることで、吸入ローラと第二クラッチ部材が一体に回転する状態が解除され、第一動力伝達部によって吸入ローラの回転駆動を開始してから、当該吸入ローラによって搬送されるシートが分離ローラに到達するまでは、クラッチ部が接続状態となることによって第二の状態となって、吸入ローラが第一の搬送速度でシートを搬送方向下流側へと送出するように構成され、吸入ローラによって搬送されるシートが分離ローラに到達すると、分離ローラが第一の搬送速度よりも高速な第二の搬送速度でシートを搬送方向下流側へと送出し、その際、吸入ローラが第二の搬送速度で搬送されるシートに追従して回転する第三の状態となることによって、クラッチ部が切断状態となるように構成され、ホルダは、第三の状態になると、第二の押圧力よりも小さい第三の押圧力で吸入ローラを支持部側へと押圧する状態になるように構成されていてもよい（例えば、第一実施形態参照。）。
【００９０】
このように構成されたシート搬送装置によれば、上述のような第二の状態から第三の状態に切り替わると、第一動力伝達部から吸入ローラへは動力が伝達されなくなり、それに伴ってホルダを第一方向へと揺動させる力が減少する。そのため、ホルダは、第二の押圧力で吸入ローラを支持部側へと押圧する状態から、第二の押圧力よりも小さい第三の押圧力で吸入ローラを支持部側へと押圧する状態に変化する。
【００９１】
したがって、ホルダが第二の押圧力で吸入ローラを支持部側へと押圧しつづける場合に比べ、吸入ローラによるシートの吸入力を弱めることができ、二枚以上のシートがまとめて吸入されて重送されるのを抑制することができる。
【００９２】
このような構成を採用した場合、第一クラッチ部材は、はすば歯車により、スラスト力が発生するように構成されていてもよい（例えば、第一実施形態参照。）。
また、抵抗付与部は、吸入ローラと一体に回転する第二クラッチ部材を第二部分として、第一部分に取り付けられて第二部分に接触することにより、当該接触箇所において第二部分に対して吸入ローラの回転を抑制する抵抗力を付与するように構成されていてもよい（例えば、第一実施形態参照。）。
【００９３】
また、本明細書で説明したシート搬送装置、及び画像読取装置において、抵抗付与部は、吸入ローラと一体に回転する吸入ローラの支軸を第二部分として、第一部分に取り付けられて第二部分に接触することにより、当該接触箇所において第二部分に対して吸入ローラの回転を抑制する抵抗力を付与するように構成されていてもよい（例えば、第二実施形態参照。）。
【００９４】
また、本明細書で説明したシート搬送装置、及び画像読取装置において、抵抗付与部は、吸入ローラと一体に回転する吸入ローラの支軸を第二部分として、第二部分に取り付けられて第一部分に接触することにより、当該接触箇所において第二部分に対して吸入ローラの回転を抑制する抵抗力を付与するように構成されていてもよい（例えば、第三実施形態参照。）。
【符号の説明】
【００９５】
１…複合機、２…本体ユニット、３…読取ユニット、４…ＦＢ部、５…ＡＤＦ部、７…操作パネル、９…媒体供給カセット、１０…搬送部、１１…吸入ローラ、１１Ａ…支軸、１２Ａ…分離ローラ、１２Ｂ…分離片、１３…搬送ローラ、１４Ａ…反転ローラ、１４Ｂ…第一ピンチローラ、１４Ｃ…第二ピンチローラ、１５Ａ…排出ローラ、１５Ｂ…第三ピンチローラ、１６…第一カバー、１７…第二カバー、１８…第三カバー、２１…第一支持部、２２…第二支持部、２５Ａ…第一プラテン、２５Ｂ…第二プラテン、２５Ｃ…第三プラテン、２７Ａ…第一シート押さえ、２７Ｂ…第二シート押さえ、２７Ｃ…第三シート押さえ、２９…ガイドレール、３０…キャリッジ、３１Ａ…第一イメージセンサ、３１Ｂ…第二イメージセンサ、４１…回転軸、４３…ホルダ、４５…第一動力伝達部、４７…第一ギヤ、４８…第二ギヤ、５１…クラッチ部、５１１…第一クラッチ部材、５１２…第二クラッチ部材、５１３…付勢部材、５３…係合突起、５４…被係合部、５５…筒状部、５７…接触部、５８…被接触部、６１…第二動力伝達部、６１Ａ…ピン、６３…被当接部、６５…抵抗付与部、７１…クラッチ部、７３…抵抗付与部、７５…筒状部、７７…接触部、７８…被接触部、８１…抵抗付与部、８３…回転抑制部。
【図１】
0006390426.tif 000002
【図２】
0006390426.tif 000003
【図３】
0006390426.tif 000004
【図４】
0006390426.tif 000005
【図５】
0006390426.tif 000006
【図６】
0006390426.tif 000007
【図７】
0006390426.tif 000008
【図８】
0006390426.tif 000009